(57)【要約】【課題】ＲＧＢ３ラインセンサー２０１，２０２，２０３とＢＫ用ラインセンサー２０４を備えたリニアイメージセンサー１０４を用いる画像読取装置では、読み取った画像の違いが生じるという課題があった。【解決手段】そこで、逆に両読み取りの違いを利用または補正することによりＢＫでは高速かつノイズの少ない読み取りを実現するとともにＲＧＢでは高精細な画像読み取りを行うよう適正化する。【選択図】　図１
2004080537.tif 000002
【特許請求の範囲】
【請求項１】
被写体を照射する光源と、前記光源により照射された被写体像を読み取る副走査方向に並んだ第１のセンサー部と、第２のセンサー部とを有し、
前記第１のセンサー部と前記第２のセンサー部とは主走査方向の受光画素の数が異なることを特徴とする画像読取装置。
【請求項２】
グレイスケール又は白黒２値用の読み取りの際には、所望の読み取り解像度に応じて、前記第１のセンサー部及び前記第２のセンサー部のいずれか一方を選択的に使用して画像を読み取ることを特徴とする請求項１に記載の画像読取装置。
【請求項３】
読み取り開始信号に応じた前記第１のセンサー部を用いた読み取りを行う際における第１の読み取り開始タイミングと、
読み取り開始信号に応じた前記第２のセンサー部を用いて読み取りを行う際における第２の読み取り開始タイミングとは異なることを特徴とする請求項１又は２に記載の画像読取装置。
【請求項４】
前記第２の読み取り開始タイミングは、前記第１の読み取り開始タイミングに対して、所定タイミング遅らせたものであることを特徴とする請求項３に記載の画像読取装置。
【請求項５】
前記第１のセンサー部は、互いに異なる波長の光に対応して信号を出力する複数のセンサーを有し、前記第２のセンサー部は、前記互いに異なる波長の光を区別せずに信号を出力するセンサーを有することを特徴とする請求項１乃至４のいずれか１項に記載の画像読取装置。
【請求項６】
副走査方向に並んだ第１のセンサー部と、第２のセンサー部とを含み、
第２のスキャンに先だって、当該第２のスキャンの読み取り解像度よりも小さい読み取り解像度で第１のスキャンを行う機能を有しており、
前記第２のスキャンで使用する前記第１又は第２のセンサー部と同じセンサー部を使用して、第１のスキャンを行うことを特徴とする画像読取装置。
【請求項７】
前記第２のスキャンを、カラー、グレイスケール、白黒２値のいずれで行うかを選択可能でるとともに読み取り解像度も選択可能な読み取りモード選択手段と、
前記読み取りモード選択手段による選択の結果に応じて、前記第２のスキャンを行う際に使用するセンサー部として、前記第１又は第２のセンサー部のいずれか一方を選択するセンサー部選択手段と
を更に含むことを特徴とする請求項６に記載の画像読取装置。
【請求項８】
前記第２のセンサー部が前記第１のセンサー部よりも副走査方向の受光画素が少なく、
前記センサー部選択手段は、且つ前記読み取りモード選択手段において読み取りモードがグレイスケール又は白黒２値に選択され、且つ読み取り解像度が前記第２のリニアイメージセンサー部の有する受光画素に応じた読み取り解像度以下に選択された場合には前記第２のセンサー部を選択し、それ以外の読み取りモードが選択された場合には前記第１のセンサー部を選択することを特徴とする請求項７に記載の画像読取装置。
【請求項９】
被写体を照射する光源と、前記光源により照射された被写体像を読み取る副走査方向に並んだ第１のセンサー部と前記第１のセンサー部よりも主走査方向の受光画素が少ない第２のセンサー部とを有する画像読取装置を用いて、前記第１のセンサー部と前記第２のセンサー部と副走査方向にスキャンさせることにより画像の読み取りを行うことを特徴とする画像読取方法。
【請求項１０】
グレイスケール又は白黒２値用の読み取りの際には、所望の読み取り解像度に応じて、前記第１のセンサー部及び前記第２のセンサー部のいずれか一方を選択的に使用して画像を読み取ることを特徴とする請求項９に記載の画像読取方法。
【請求項１１】
読み取り開始信号に応じた前記第１のセンサー部を用いて読み取りを行う際における副走査方向の第１の読み取り開始タイミングと、
読み取り開始信号に応じた前記第２のリニアイメージセンサー部を用いて読み取りを行う際における副走査方向の第２の読み取り開始タイミングとは異なることを特徴とする請求項９又は１０に記載の画像読取方法。
【請求項１２】
前記第２の読み取り開始タイミングは、前記第１の読み取り開始タイミングに対して、所定タイミング遅らせたものであることを特徴とする請求項１１に記載の画像読取方法。
【請求項１３】
前記第１のセンサー部は、互いに異なる波長の光に対応して信号を出力する複数のセンサーを有し、前記第２のセンサー部は前記互いに異なる波長の光を区別せずに信号を出力するセンサーであることを特徴とする請求項９乃至１２のいずれか１項に記載の画像読取方法。
【請求項１４】
副走走査方向に並んだ第１のセンサー部と第２のセンサー部とを用い、第２のスキャンに先だって、当該第２のスキャンの読み取り解像度よりも小さい読み取り解像度で第１のスキャンを行うに際し、
前記第２のスキャンで使用する前記第１又は第２のセンサー部と同じセンサー部を使用して、第１のスキャンを行うことを特徴とする画像読取方法。
【請求項１５】
前記第２のスキャンを、カラー、グレイスケール、及び白黒２値のうちのいずれで行うかを選択するとともに読み取り解像度も選択する読み取りモード選択ステップと、
前記読み取りモード選択ステップの選択結果に応じて、前記第２のスキャンを行う際に使用するセンサー部として、前記第１のセンサー部及び前記第２のセンサー部のいずれか一方を選択するセンサー選択ステップと
を含むことを特徴とする請求項１４に記載の画像読取方法。
【請求項１６】
前記第２のセンサー部が前記第１のセンサー部よりも副走査方向の受光画素が少なく、
前記センサー選択ステップでは、読み取りモード選択ステップにおいて読み取りモードがグレイスケール或いは白黒２値に選択され、且つ解像度が前記第２のセンサー部の有する副走査方向の受光画素に応じた読み取り解像度以下に選択されたの場合には前記第２のセンサー部を選択し、それ以外の読み取りモードの場合には前記第１のリニアイメージセンサー部を選択することを特徴とする請求項１５に記載の画像読取方法。
【請求項１７】
コンピュータを、請求項１〜８のいずれか１項に記載の画像読取装置の前記各手段として機能させるためのプログラムを記録したことを特徴とするコンピュータ読み取り可能な記録媒体。
【請求項１８】
請求項９〜１６のいずれか１項に記載の画像読取方法の各手順をコンピュータに実行させるためのプログラムを記録したことを特徴とするコンピュータ読み取り可能な記録媒体。
【請求項１９】
コンピュータを、請求項１〜８のいずれか１項に記載の画像読取装置の前記各手段として機能させるためのプログラム。
【請求項２０】
請求項９〜１６のいずれか１項に記載の画像読取方法の前記各手順をコンピュータに実行させるためのプログラム。
【発明の詳細な説明】
【０００１】
【発明の属する技術分野】
本発明は、第１、第２のセンサー部を有するセンサーを使用する画像読取装置、方法、記録媒体及びプログラムに関する。
【０００２】
【従来の技術】
従来、リニアイメージセンサーは３つ（赤（Ｒ）、緑（Ｇ）、青（Ｂ））のラインセンサーを有し、それぞれにＲ，Ｇ，Ｂのフィルタを備えてカラー読み取りを行い、グレイスケール或いは白黒２値読み取り時には、Ｇのみ、或いは、Ｒ，Ｇ，Ｂの３ラインセンサーを利用していた。
【０００３】
近年では、Ｒ，Ｇ，Ｂ以外に第４のラインセンサー（ＢＫ）を備え、これに可視光フィルタを備えてグレイスケール或いは白黒２値読み取りに使用する構造のイメージセンサーが登場している。この利点は、Ｒ，Ｇ，Ｂフィルタよりも可視光フィルタの方が光の透過量が多いため、イメージセンサーの光電子蓄積時間を短くできる。その結果、読み取り時間を早くすることができることにある。
【０００４】
【発明が解決しようとする課題】
しかしながら近年では、リニアイメージセンサーの解像度が高解像化している一方、高解像化は受光面積の減少や転送画素数の増大により、読み取り速度の低下や画像ノイズの増加を招いている。
【０００５】
そこで本発明は、かかる実情に鑑み、適切な解像度と速度で読み取ることを可能にし、読み取り画像の違いを減少させる画像読取装置及び方法を提供することを目的とする。
【０００６】
【課題を解決するための手段】
本発明の画像読取装置は、被写体を照射する光源と、前記光源により照射された被写体像を読み取る副走査方向に並んだ第１のセンサー部と、第２のセンサー部とを有し、前記第１のセンサー部と前記第２のセンサー部とは主走査方向の受光画素の数が異なる。
【０００７】
本発明の画像読取装置の一態様では、グレイスケール又は白黒２値用の読み取りの際には、所望の読み取り解像度に応じて、前記第１のセンサー部及び前記第２のセンサー部のいずれか一方を選択的に使用して画像を読み取る。
【０００８】
本発明の画像読取装置の一態様では、読み取り開始信号に応じた前記第１のセンサー部を用いた読み取りを行う際における第１の読み取り開始タイミングと、読み取り開始信号に応じた前記第２のセンサー部を用いて読み取りを行う際における第２の読み取り開始タイミングとは異なる。
【０００９】
本発明の画像読取装置の一態様では、前記第２の読み取り開始タイミングは、前記第１の読み取り開始タイミングに対して、所定タイミング遅らせたものである。
【００１０】
本発明の画像読取装置の一態様では、前記第１のセンサー部は、互いに異なる波長の光に対応して信号を出力する複数のセンサーを有し、前記第２のセンサー部は、前記互いに異なる波長の光を区別せずに信号を出力するセンサーを有する。
【００１１】
本発明の画像読取装置は、副走査方向に並んだ第１のセンサー部と、第２のセンサー部とを含み、第２のスキャンに先だって、当該第２のスキャンの読み取り解像度よりも小さい読み取り解像度で第１のスキャンを行う機能を有しており、前記第２のスキャンで使用する前記第１又は第２のセンサー部と同じセンサー部を使用して、第１のスキャンを行う。
【００１２】
本発明の画像読取装置の一態様では、前記第２のスキャンを、カラー、グレイスケール、白黒２値のいずれで行うかを選択可能でるとともに読み取り解像度も選択可能な読み取りモード選択手段と、前記読み取りモード選択手段による選択の結果に応じて、前記第２のスキャンを行う際に使用するセンサー部として、前記第１又は第２のセンサー部のいずれか一方を選択するセンサー部選択手段とを更に含む。
【００１３】
本発明の画像読取装置の一態様では、前記第２のセンサー部が前記第１のセンサー部よりも副走査方向の受光画素が少なく、前記センサー部選択手段は、且つ前記読み取りモード選択手段において読み取りモードがグレイスケール又は白黒２値に選択され、且つ読み取り解像度が前記第２のリニアイメージセンサー部の有する受光画素に応じた読み取り解像度以下に選択された場合には前記第２のセンサー部を選択し、それ以外の読み取りモードが選択された場合には前記第１のセンサー部を選択する。
【００１４】
本発明の画像読取方法は、被写体を照射する光源と、前記光源により照射された被写体像を読み取る副走査方向に並んだ第１のセンサー部と前記第１のセンサー部よりも主走査方向の受光画素が少ない第２のセンサー部とを有する画像読取装置を用いて、前記第１のセンサー部と前記第２のセンサー部と副走査方向にスキャンさせることにより画像の読み取りを行う。
【００１５】
本発明の画像読取方法の一態様では、グレイスケール又は白黒２値用の読み取りの際には、所望の読み取り解像度に応じて、前記第１のセンサー部及び前記第２のセンサー部のいずれか一方を選択的に使用して画像を読み取る。
【００１６】
本発明の画像読取方法の一態様では、読み取り開始信号に応じた前記第１のセンサー部を用いて読み取りを行う際における副走査方向の第１の読み取り開始タイミングと、読み取り開始信号に応じた前記第２のリニアイメージセンサー部を用いて読み取りを行う際における副走査方向の第２の読み取り開始タイミングとは異なる。
【００１７】
本発明の画像読取方法の一態様では、前記第２の読み取り開始タイミングは、前記第１の読み取り開始タイミングに対して、所定タイミング遅らせたものである。
【００１８】
本発明の画像読取方法の一態様では、前記第１のセンサー部は、互いに異なる波長の光に対応して信号を出力する複数のセンサーを有し、前記第２のセンサー部は前記互いに異なる波長の光を区別せずに信号を出力するセンサーである。
【００１９】
本発明の画像読取方法の一態様では、副走走査方向に並んだ第１のセンサー部と第２のセンサー部とを用い、第２のスキャンに先だって、当該第２のスキャンの読み取り解像度よりも小さい読み取り解像度で第１のスキャンを行うに際し、前記第２のスキャンで使用する前記第１又は第２のセンサー部と同じセンサー部を使用して、第１のスキャンを行う。
【００２０】
本発明の画像読取方法の一態様では、前記第２のスキャンを、カラー、グレイスケール、及び白黒２値のうちのいずれで行うかを選択するとともに読み取り解像度も選択する読み取りモード選択ステップと、前記読み取りモード選択ステップの選択結果に応じて、前記第２のスキャンを行う際に使用するセンサー部として、前記第１のセンサー部及び前記第２のセンサー部のいずれか一方を選択するセンサー選択ステップとを含む。
【００２１】
本発明の画像読取方法の一態様では、前記第２のセンサー部が前記第１のセンサー部よりも副走査方向の受光画素が少なく、前記センサー選択ステップでは、読み取りモード選択ステップにおいて読み取りモードがグレイスケール或いは白黒２値に選択され、且つ解像度が前記第２のセンサー部の有する副走査方向の受光画素に応じた読み取り解像度以下に選択されたの場合には前記第２のセンサー部を選択し、それ以外の読み取りモードの場合には前記第１のリニアイメージセンサー部を選択する。
【００２２】
また、本発明の記録媒体は、コンピュータを、前記画像読取装置の前記各手段として機能させるためのプログラムを記録したことを特徴とするコンピュータ読み取り可能な記録媒体である。
【００２３】
更に、本発明の記録媒体は、前記画像読取方法の各手順をコンピュータに実行させるためのプログラムを記録したことを特徴とするコンピュータ読み取り可能な記録媒体である。
【００２４】
また、本発明のプログラムは、コンピュータを、前記画像読取装置の前記各手段として機能させるためのものである。
【００２５】
更に、本発明のプログラムは、前記画像読取方法の前記各手順をコンピュータに実行させるためのものである。
【００２６】
【発明の実施の形態】
以下、図面に基づき、本発明の好適な実施形態について説明する。
図１は本実施形態による画像読取装置の本体断面概略図である。
１０１は原稿台ガラス、１０２は白色基準板、１０３は光学キャリッジ、１０４は１０３内に設置されたリニアイメージセンサー、１０５はホームポジションセンサー、１０６は光学キャリッジ１０３を駆動するステッピングモータ、１０７は駆動ベルトである。
【００２７】
ステッピングモータ１０６が回転し、駆動力は駆動ベルト１０７を伝わって光学キャリッジ１０３が移動する。本実施形態の場合では、図面向かって右から左（主走査方向：図中の矢印方向）に移動しながら原稿台上に設置された原稿を読み取る。ここで、図面に垂直な方向が副走査方向となる。
【００２８】
電源（不示図）投入時には、初期動作を行い、光学キャリッジ１０３がホームポジションにあることを確認する。その手順を簡単に説明すると、まず、ホームポジションセンサー１０５が光学キャリッジ１０３を検出しているかどうか判定し、検出していればそのままの状態を保つ。検出していなければキャリッジを図面向かって左から右に、ホームポジションセンサーが検出するまで動かす。検出すると、モータを停止する。この位置をホームポジション基準位置として記憶し、以降の読取動作の基準とする。
【００２９】
次に、自動キャリブレーションを行う。キャリブレーションはリニアイメージセンサーや光学系の濃度ムラを補正して、正しい濃度の画像を得るために行う。この手順も簡単に説明する。光学キャリッジ１０３がホームポジションにあると、読取領域はちょうど白色基準板１０２となる。白色基準板を読み取り、その値を元に、キャリブレーションデータを作成する。原稿の画像読取時にはこのキャリブレーションデータとイメージセンサーの出力を演算して正しい濃度の画像を得る。
【００３０】
図２は本発明の形態を最も良く表すリニアイメージセンサー１０４の概略図である。
赤（Ｒ）用ラインセンサー２０１、緑（Ｇ）用ラインセンサー２０２、青（Ｂ）用ラインセンサー２０３、グレイスケール或いは白黒２値（ＢＫ）用ラインセンサー２０４を備えている。図２中の矢印方向を副走査方向とし、相対的に原稿画像がこの方向に移動する。
【００３１】
ＲＧＢ各ラインセンサーは１０６８０個の受光画素が主走査方向に４ｕｍ毎に並んでいる。ＢＫラインセンサーは５３４０個の受光画素が主走査方向に８ｕｍ毎に並んでいる。また、Ｒ−Ｇ間およびＧ−Ｂ間の距離は６４ｕｍ、Ｂ−ＢＫ間の距離は１２８ｕｍである。本実施例では、光学倍率により、このリニアイメージセンサーをＲＧＢは１２００ｄｐｉ、ＢＫは６００ｄｐｉの解像度で使用する。１２００ｄｐｉを１ラインとすると、Ｒ−Ｇ間、Ｇ−Ｂ間は６４／４　＝１６ライン、Ｂ−ＢＫ間は　１２８／４＝３２ライン離れている。
【００３２】
ＢＫラインセンサーはグレイスケール或いは白黒２値専用に設計され、ＲＧＢ各ラインセンサーに比べて受光波長域が広いため、入射光量が多い。その上、受光画素の面積が４倍あるため、ＲＧＢ各ラインセンサーに比べてはるかに受光感度が高く、露光時間が短くて済み、画像ノイズの点で有利である。また、総画素数が少ないため、蓄積電荷の転送時間も少なくて済む。
【００３３】
図３は光学キャリッジ１０３の断面構成概念図である。
３０１、３０２、３０３、３０４、３０５はミラーで、原稿面の画像を反射させてリニアイメージセンサー１０４までの光路長を確保する。光路途中、レンズ３０６を設置して原稿面の画像をリニアイメージセンサー１０４上に集光する。
【００３４】
図３から判るように、Ｒ，Ｇ，Ｂ，ＢＫは原稿面上でそれぞれ異なった位置の画像を読み、前述したようにＲ−Ｇ間、Ｇ−Ｂ間は１６ライン、Ｂ−ＢＫ間は３２ライン離れている。
【００３５】
図４は画像読取装置の制御ブロック図である。
Ｒ，Ｇ，Ｂ、ＢＫラインセンサー（２０１，２０２，２０３２０３）の出力はそれぞれＡ／Ｄ変換部４０１、４０２、４０３、４０４でデジタルデータに変換される。Ｒの出力は３２ライン遅延バッファＲＡＭ４０５に送られ、Ｇの出力は１６ライン遅延バッファＲＡＭ４０６に送られ、Ｂの出力は遅延なしで通過して、Ｒ、Ｇ、Ｂの読取位相を合わせる。ＢＫの出力はＲ，Ｇ，Ｂとは無関係に遅延することなく通過する。
【００３６】
次に、シェーディング処理部４０７にデータが送られる。シェーディング処理部４０７では、ＣＰＵを含んだシステム制御部４１１からの制御により、シェーディングＲＡＭ４０９からシェーディング係数が引き出されてシェーディングが行われる。画像データは次にインターフェース制御部４０８に送られ、システム制御部４１１の制御の下、バッファＲＡＭ４１０に画像データを蓄積しながらホストコンピュータ４１２に画像データを転送する。
【００３７】
また、システム制御部４１１は、モータ駆動部４１３を制御してステッピングモータ１０６を動かす。
図示していないが、前述のステッピングモータ１０６が１ステップ回転すると、光学キャリッジ１０３は１ライン移動するように構成されている。
【００３８】
図５はグレイスケール或いは白黒２値読取時に、どのラインセンサーを使用して読み取るかを示すフローチャートである。
所望の読み取り解像度に応じて、６００ｄｐｉ以下の場合、ＢＫラインセンサーを用いる。６００ｄｐｉよりも大きい場合はＧラインセンサーを用いる。ここで、ＲＢＧの３ラインセンサーで読み取った後、画像処理してグレイスケール或いは白黒２値を得ることも可能だが、データ処理量が多いため、本実施例ではＧラインセンサーのみで行う。
【００３９】
図６は、副走査方向の画像の読取開始タイミングを表すチャートである。
図中のモータパルスは、１パルスが１ラインに相当する。前述したように、光学キャリッジ１０３は電源投入時のホームポジション基準位置から動き始める。所定のパルス数分、光学キャリッジ１０３を動かした後、副走査方向の画像データの読取を開始する。実際にはイメージセンサーからの出力は常時有るので、その出力を有効なデータとする事を読取開始とする。図中のカラー（Ｂ）読取開始タイミングはＢラインセンサーのタイミングである。システム制御部４１１はこのタイミング信号をインターフェース制御部４０８に送ってホストコンピュータ４１２へのデータ転送を制御する。Ｒラインセンサーについては３２ライン遅延バッファ４０５によってＢラインセンサーよりも３２ライン分先読みしたデータが遅延して読み取られる。Ｇラインセンサーについては１６ライン遅延バッファ４０６よってＢラインセンサーよりも１６ライン分だけ先読みしたデータが遅延して読み取られる。
【００４０】
一方、ＢＫラインセンサーを使ったグレイスケール或いは白黒２値読取の場合は、カラー（Ｂ）読取開始タイミングよりも３２パルス（３２ライン分）遅れたタイミングで読み取りを開始する。
【００４１】
これにより、Ｒ，Ｇ，Ｂ３ラインセンサーを用いたカラー読取時と、ＢＫラインセンサーを用いたグレイスケール或いは白黒２値読取時で、原稿上の読取開始位置が同じになる。これは、次のような効果を有する。
【００４２】
すなわち、リニアイメージセンサーの構造上、Ｒ，Ｇ，Ｂ、ＢＫの４つのセンサーは空間的に離れた位置にあり、それぞれ読み取り位置が異なっている。
Ｒ，Ｇ，Ｂを使ってカラー読み取りを行う場合は、色ずれという問題が発生するため、従来から遅延バッファにより、読み取り位相を合わせこんでいた。また、Ｒ，Ｇ，Ｂの３ラインセンサー中のＧラインセンサーを使用してグレイスケール或いは白黒２値読み取りを行う場合には、遅延バッファの存在により、Ｒ，Ｇ，Ｂカラーの読み取り時と同じタイミング信号で位相の同じ画像が読み込める。
【００４３】
一方、Ｒ，Ｇ，Ｂ，ＢＫの４ラインセンサーを使用した場合には、グレイスケール或いは白黒２値では、Ｂｋのラインセンサーを使用すれば色ずれの問題は発生しない。
【００４４】
ところが、Ｒ，Ｇ，Ｂの３ラインセンサーを使ったカラー読み取りと、ＢＫラインセンサーを用いたグレイスケール或いは白黒２値では、読み取り位置が異なっている。そのため、同一の副走査読み取り開始タイミングでは、同一の原稿を読み取った場合に、カラーに対してグレイスケール或いは白黒２値では読み取り画像がずれるという問題が発生する。こういった問題を解消する効果を有する。
【００４５】
特に、マスターデータとしてのカラー画像と、サブデータとして白黒プリンタ用や閲覧・見出し用のグレイスケール画像を、同一原稿から得る場合等においても画像の相違が軽減できる。
【００４６】
図７は読み取りモードのカラーモードをホストコンピュータ４１２上で選択する時の操作画面を、図８は読み取りモードの出力解像度をホストコンピュータ上で選択する時の操作画面をそれぞれ示す。
【００４７】
使用者は、これら操作画面によって、本スキャンを、カラー、グレイスケール或いは白黒２値のいずれかで行うことを選択できるとともに、解像度も選択できる。
【００４８】
また、従来では、イメージセンサーに対して、Ｒ，Ｇ，Ｂの３ラインセンサーとＢＫラインセンサーとは同じ解像度の性能を持っていた。また、Ｒ，Ｇ，Ｂ３ラインセンサーを使用したカラー読み取り開始タイミングと、ＢＫラインセンサーを使用したグレイスケール或いは白黒２値時の読み取り開始タイミングを区別することなく、同じタイミングで行っていた。
【００４９】
一方、最近では、ラインセンサーの解像度としては１２００ｄｐｉが標準的な値になっているが、本スキャンに先立って所定条件の設定のための信号を取得するプリスキャン時には、一旦、Ｒ，Ｇ，Ｂの３ラインセンサーを利用して７５ｄｐｉや１００ｄｐｉなどの低い解像度で画像を読み込んだ後、本スキャンモードに従い、カラー読み取り時はプリスキャン画像をカラーで表示し、グレイ読み取り時や白黒２値読み取り時はカラー画像データからＧのみのデータだけを抽出したり、或いはＲ，Ｇ，Ｂデータを処理してグレイデータや２値データを生成してプリスキャン表示したりしていた。
【００５０】
図９は、読み取りモードに応じて、どのラインセンサーを選択してプリスキャンと本スキャンを行うかを判定する過程を示すフローチャートである。
図示のように、ホストコンピュータ４１２上で設定された読み取りモードが、カラー読み取りの場合（ステップＳ１）には、ＲＧＢの３ラインセンサー２０１，２０２，２０３を選択する。
【００５１】
一方、ホストコンピュータ４１２上で設定された読み取りモードが、グレイスケール或いは白黒２値の場合（ステップＳ２）には、解像度が６００ｄｐｉ以下の場合（ステップＳ３）には、ＢＫ用ラインセンサー２０４を選択し、解像度が６００ｄｐｉよりも大きい場合（ステップＳ４）には、ＲＧＢ読み取り用３ラインセンサー２０１，２０２，２０３の内のＧ用ラインセンサー２０２を選択する。ここで、ＲＧＢの３ラインセンサー２０１，２０２，２０３で読み取った後、画像処理してグレイスケール或いは白黒２値を得ることも可能だが、データ処理量が多いため、本実施形態ではＧ用ラインセンサー２０２のみで読み取りを行う。
【００５２】
次に、以上のようにして選択されたセンサーを用いてプリスキャンを行う（ステップＳ５）。
ここで本実施形態では、プリスキャンを解像度７５ｄｐｉで行う。そのため、選択されたセンサーから出力される画像データを間引いてプリスキャンを行う。具体的には、ＢＫ用ラインセンサー（６００ｄｐｉ）の場合には１／８に間引く。ＲＧＢの３ラインセンサー（１２００ｄｐｉ）の場合には１／１６に間引く。使用者はプリスキャン画像を確認した後（ステップＳ６）、本スキャンを行う（ステップＳ７）。
【００５３】
以上説明したように、この実施形態では、解像度１２００ｄｐｉのカラー読み取り機能を持つＲＧＢの３ラインセンサー２０１，２０２，２０３と、解像度６００ｄｐｉでグレイスケール或いは白黒２値専用の読み取りを行うＢＫ用ラインセンサー２０４とを持つリニアイメージセンサー１０４を備える。
【００５４】
読み取りモードはホストコンピュータ４１２上で選択され、それに応じて本スキャンで使用するリニアイメージセンサー部を選択する。
具体的には、カラー読み取りの場合（ステップＳ１）はＲＧＢの３ラインセンサー２０１，２０２，２０３を選択する。グレイスケール或いは白黒２値（ステップＳ２）で且つ、解像度が６００ｄｐｉ以下の場合（ステップＳ３）、ＢＫ用ラインセンサー２０４を選択する。また、解像度が６００ｄｐｉよりも大きい場合（ステップＳ４）は、ＲＧＢ用読み取り３ラインセンサー２０１，２０２，２０３の内のＧ用ラインセンサー２０２を選択する。
プリスキャンは、前述の本スキャンで使用するリニアイメージセンサー部を用いて行う。
【００５５】
以上のような構成とすることにより、プリスキャンと本スキャンとの画像誤差が少なくなり、プリスキャンでの画像確認が正確に行える。また、Ｒ，Ｇ，Ｂの３ラインセンサーとＢＫ用ラインセンサーを用いた画像読取装置では、従来のようにグレイスケールや白黒２値のプレビュー画像をＲ，Ｇ，Ｂの３ラインセンサーのデータから生成する方法を用いると、本スキャンにＢＫ用ラインセンサーを使った場合に、ＢＫ用ラインセンサーとは濃度直線性や分光特性などの各種特性の違いがあり、本スキャンに比べて画像誤差の多いプリスキャン表示となってしまうという問題を解消することができる。
【００５６】
なお、上述した実施形態による画像読取装置を構成する各機能及び画像読取方法は、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００５７】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５８】
また、コンピュータが供給されたプログラムを実行することにより上述の実施形態の機能が実現されるだけでなく、そのプログラムがコンピュータにおいて稼働しているＯＳ（オペレーティングシステム）或いは他のアプリケーションソフト等と共同して上述の実施形態の機能が実現される場合や、供給されたプログラムの処理の全て或いは一部がコンピュータの機能拡張ボードや機能拡張ユニットにより行われて上述の実施形態の機能が実現される場合も、かかるプログラムは本発明の実施形態に含まれる。
【００５９】
例えば、図１０は、一般的なパーソナルユーザ端末装置の内部構成を示す模式図である。この図１０において、１２００はコンピュータＰＣである。ＰＣ１２００は、ＣＰＵ１２０１を備え、ＲＯＭ１２０２又はハードディスク（ＨＤ）１２１１に記憶された、或いはフレキシブルディスクドライブ（ＦＤ）１２１２より供給されるデバイス制御ソフトウェアを実行し、システムバス１２０４に接続される各デバイスを総括的に制御する。
【００６０】
【発明の効果】
本発明によれば、カラー読み取り機能を備えた高解像度の第１のリニアイメージセンサー部と、グレイスケール或いは白黒２値読取専用には第１のリニアイメージセンサー部よりも低い解像度の第２のリニアイメージセンサー部を備え、グレイスケール或いは白黒２値読取時には所望の読み取り解像度に応じて、前記の第１のリニアイメージセンサー部と前記の第２のリニアイメージセンサー部とを選択的に使うことで、例えば写真原稿の場合には第１のリニアイメージセンサー部を用いて高解像度で読み取り、事務書類原稿の場合には第２のリニアイメージセンサー部を用いて低解像度で高速に且つ画像ノイズが小さく読み取ることが可能になる。
【００６１】
更に、第１のリニアイメージセンサー部を用いて読み取る時と第２のリニアイメージセンサー部を用いて読み取る時でそれぞれ異なる個別の副走査読取開始タイミングを持たせ、原稿を読み取る開始位置を同じになるようにタイミングを設定することで、原稿上の読取開始位置が厳密に同じになり、同一原稿を第１のリニアイメージセンサー部を用いてカラーで読み取った画像と、第２のリニアイメージセンサー部を用いてグレイスケール或いは白黒２値で読み取った画像とで、ずれが無い画像を読み取ることが可能となる。
【００６２】
また、カラー読み取り機能を備えた第１のリニアイメージセンサー部と、グレイスケール或いは白黒２値専用の第２のリニアイメージセンサー部とを備えた画像読取装置において、本スキャンで使用するリニアイメージセンサー部と同じリニアイメージセンサー部を用いてプリスキャンを行うので、本スキャンとプリスキャンの画像誤差が少なくなり、プリスキャンでの画像確認が正確に行えるようになる。
【００６３】
更に、読み取りモードに従って本スキャン用リニアイメージセンサー部が選択され、更に本スキャン用リニアイメージセンサー部を選択する際の条件を適正化しているので、プリスキャンの画像確認をより一層正確に行うことが可能である。
【図面の簡単な説明】
【図１】本発明の実施形態による画像読取装置を示す概略断面図である。
【図２】本発明の実施形態による画像読取装置において、リニアイメージセンサーを示す模式図である。
【図３】本発明の実施形態による画像読取装置において、光学キャリッジの断面を示す模式図である。
【図４】本発明の実施形態による画像読取装置において、画像読み取りの制御過程を示すブロック図である。
【図５】本発明の実施形態による画像読取装置において、グレイスケール或いは白黒２値読取時に、どのラインセンサーを使用して読み取るかを示すフローチャートである。
【図６】本発明の実施形態による画像読取装置において、画像の副走査方向の読み取り開始タイミングを示す図である。
【図７】本発明の実施形態による画像読取装置において、カラーモードを選択する操作画面を示す画像図である。
【図８】本発明の実施形態による画像読取装置において、解像度を選択する操作画面を示す画像図である。
【図９】本発明の実施形態による画像読取装置において、読み取りモードに応じてリニアイメージセンサー部を選択する手順を示すフローチャートである。
【図１０】パーソナルユーザ端末装置の内部構成を示す模式図である。
【符号の説明】
１０１　原稿台ガラス
１０２　白色基準板
１０３　光学キャリッジ
１０４　リニアイメージセンサー
１０５　ホームポジションセンサー
１０６　ステッピングモータ
１０７　駆動ベルト
２０１　Ｒ用ラインセンサー
２０２　Ｇ用ラインセンサー
２０３　Ｂ用ラインセンサー
２０４　ＢＫ用ラインセンサー
３０１，３０２，３０３，３０４，３０５　ミラー
３０６　レンズ
４０１，４０２，４０３，４０４　Ａ／Ｄ変換部
４０５　３２ライン遅延バッファＲＡＭ
４０６　１６ライン遅延バッファＲＡＭ
４０７　シェーディング処理部
４０８　インターフェース制御部
４０９　シェーディングＲＡＭ
４１０　バッファＲＡＭ
４１１　システム制御部
４１２　ホストコンピュータ
４１３　モータ駆動部
【図１】
2004080537.tif 000003
【図２】
2004080537.tif 000004
【図３】
2004080537.tif 000005
【図４】
2004080537.tif 000006
【図５】
2004080537.tif 000007
【図６】
2004080537.tif 000008
【図７】
2004080537.tif 000009
【図８】
2004080537.tif 000010
【図９】
2004080537.tif 000011
【図１０】
2004080537.tif 000012